(57)【要約】  本発明は、第１視野角（２１１）において第１画像を生成し、第１視野角（２１１）と異なる第２視野角（２２１）において第２画像を生成するマルチビュー装置（１００）に関する。マルチビュー装置（１００）は、合成画像、細長い光学構造のアレイ（１０１）及び有機発光ダイオード装置（１０３）を有する。合成画像は、第１画像及び第２画像を有する副画像（２１０，２２０）の細長いストライプを有する。細長い光学構造のアレイ（１０１）は、第１視野角（２１１）の方に第１画像の光（２１２）を屈折させ、第２視野角（２２１）の方に第２画像の光（２２２）を屈折させるためのものである。有機発光ダイオード装置（１０３）は、細長い光学構造のアレイ（１０１）を介して合成画像を画像化する。有機発光ダイオード装置（１０３）は細長い光学構造のアレイ（１０１）に光学的に結合されている。細長い光学構造のアレイ（１０１）に光学的に結合されている有機発光ダイオード装置（１０３）を用いて、マルチビュー装置（１００）は高光効率を有する。
2012530272.tif 000002
【特許請求の範囲】
【請求項１】
第１視野角において第１画像を生成し、前記第１視野角と異なる第２視野角において第２画像を生成するマルチビュー装置であって：
前記第１画像及び前記第２画像を有する副画像の細長いストライプを有する合成画像；
前記第１視野角の方に前記第１画像の光を屈折させ、前記第２視野角の方に前記第２画像の光を屈折させる細長い光学構造のアレイ；並びに
前記細長い光学構造のアレイを介して前記合成画像を画像化する有機発光ダイオード装置であって、前記有機発光ダイオード装置は前記細長い光学構造のアレイに光学的に結合されている、有機発光ダイオード装置；
を有するマルチビュー装置。
【請求項２】
前記有機発光ダイオード装置は、パターニングされた有機発光ダイオード装置を構成するパターンを有し、前記パターニングされた有機発光ダイオード装置を構成する前記パターンは前記合成画像の少なくとも一部を有する、請求項１に記載のマルチビュー装置。
【請求項３】
前記パターニングされた有機発光ダイオード装置の電流サポート層又は前記パターニングされた有機発光ダイオード装置の光反射層は前記合成画像の少なくも一部を有する、請求項２に記載のマルチビュー装置。
【請求項４】
前記有機発光ダイオード装置は単独の一画素有機発光ダイオードを有する、請求項１に記載のマルチビュー装置。
【請求項５】
前記有機発光ダイオード装置は、アノード層、カソード層及び／又は前記有機発光ダイオードの有機発光層を支持する基板を有し、前記有機発光ダイオードから離れて対向する前記基板の一方側は、第１視野角の方に前記第１画像の光を屈折し、第２視野角の方に前記第２画像の光を屈折する細長い光学構造のアレイを有する、請求項１に記載のマルチビュー装置。
【請求項６】
光学シートを更に有し、前記光学シートは、前記細長い光学構造のアレイを有し、前記光学シートは、前記有機発光ダイオード装置に光学的に結合されている、請求項１に記載のマルチビュー装置。
【請求項７】
少なくとも特定の半透明フィルムを更に有し、前記合成画像の少なくとも一部は少なくとも部分的に半透明フィルム上に備えられ、前記特定の半透明フィルムは、前記有機発光ダイオード装置と前記細長い光学構造のアレイとの間に備えられている、請求項１又は２に記載のマルチビュー装置。
【請求項８】
前記細長い光学構造のアレイはレンチキュラーレンズを有し、及び／又は、前記細長い光学構造のアレイは細長い三角形状プリズムを有する、請求項１に記載のマルチビュー装置。
【請求項９】
前記合成画像は前記細長い光学構造のアレイと共に、前記マルチビュー装置の方を見ているビューアに対して自動立体視画像を生成する、請求項１に記載のマルチビュー装置。
【請求項１０】
前記合成画像は前記細長い光学構造のアレイと共に、前記マルチビュー装置の方を見ていて、前記マルチビュー装置に対して動いているビューアに対して一連の画像を生成する、請求項１に記載のマルチビュー装置。
【請求項１１】
請求項１乃至１０の何れか一項に記載のマルチビュー装置を有するアセンブリであって：
プッシュボタンに三次元画像又は一連の画像を生成するためのプッシュボタン；
三次元画像又は一連の画像による指示を生成するインジケータ；
三次元画像又は一連の画像を広告サインとして生成するための広告サイン；
三次元企業ロゴ提示を生成するための又は合成画像を構成する一連の画像を生成するための企業ロゴ提示ボード；又は
光源において、光を生成して、三次元画像又は一連の画像を提示するための光源；
であるアセンブリ。
【発明の詳細な説明】
【技術分野】
【０００１】
本発明は、異なる方向のビューアに対して異なる画像を生成するマルチビュー装置に関し、マルチビュー装置を有するアセンブリに関する。
【背景技術】
【０００２】
マルチビュー装置は当該技術分野において知られている。例えば、グリーティングカードの形式で、三次元ムービーに画像化する三次元画像又はディスプレイを提示することである。自動立体視効果を得るために、２つの画像が、人間が三次元ピクチャを体験するように、その人間の両眼に２つの僅かに異なる画像を画像化するように、２つの視野方向に提供される。他のアプリケーションにおいては、３つ以上の画像が複数の視野角において提供される。人、又は、例えば、カメラがマルチビュー装置に対して動く場合、異なる画像が見える。それらの画像は、映画シーンの次の画像であることが可能であり、その人はこの短い映画シーンを見る。その短い一連の画像はまた、アニメーション、若しくは、コミック、モルフ（ｍｏｒｐｈ）又はズーム等の特殊なアニメーションであり得る。
【０００３】
米国特許第５６９５３４６号明細書においては、ユーザに自動立体視画像を提示する又アニメーションを提示するマルチビュー装置の複数の実施形態について開示されている。その特許文献に記載されている装置の１つはシェルフヘッダスライドインディスプレイアセンブリ（ｓｈｅｌｆ  ｈｅａｄｅｒ  ｓｌｉｄｅ−ｉｎ  ｄｉｓｐｌａｙ  ａｓｓｅｍｂｌｙ）である。そのシェルフヘッダスライドインアセンブリは半透明なものを有し、それに基づいて、二次元半透明画像及び特定のインターレース半透明画像が印刷されている。レンチキュラーレンズのアレイがインターレース画像の前に備えられている。シェルフヘッダスライドインアセンブリは光源により背後から照明される。
【０００４】
インターレース画像は２つ又はそれ以上の画像の交互のストライプを有する。背後から照明される場合、シェルフヘッダスライドインアセンブリの表面は、店の客の方向に光を発する。背後から照明されない場合、環境光の一部が反射される。インターレース画像の領域で、発せられた光及び反射された光は、１つの画像のストライプからもたらされる光が１つの特定の視野方向に屈折され、他の画像のストライプからもたらされる光が他の特定の視野方向に屈折されるように、レンチキュラーレンズのアレイにより屈折される。
【０００５】
インターレース画像及びレンチキュラーレンズのアレイは、棚の前に立って、棚のヘッダの方を見ている店の客がインターレース画像の位置で三次元画像を体験するように、デザインされている。代替として、シェルフヘッダスライドインアセンブリは、客が棚に沿って通り、棚のヘッダの方を見る場合に、その客が一連の連続的な画像を描写するアニメーションを見るように、デザインされている。
【０００６】
その開示されているシェルフヘッダスライドインアセンブリの課題は、アセンブリが高光効率を有さないことである。
【先行技術文献】
【特許文献】
【０００７】
【特許文献１】米国特許第５６９５３４６号明細書
【発明の概要】
【発明が解決しようとする課題】
【０００８】
本発明の目的は、より効果的なマルチビュー装置を提供することである。
【課題を解決するための手段】
【０００９】
本発明の第１の特徴は、請求項１に記載されているマルチビュー装置を提供する。有利な実施形態について従属請求項に記載されている。
【００１０】
本発明の第１の特徴に従ったマルチビュー装置は、合成画像と、細長い光学構造のアレイと、有機発光ダイオード装置とを有する。合成画像は複数の副画像の複数の細長いストライプを有する。副画像の細長いストライプは第１画像及び第２画像を有する。有機発光ダイオード装置からの光は合成画像を画像化する、細長い光学構造のアレイは、第１画像の光を第１視野角の方に屈折し、第２画像の光を第２視野角の方に屈折する。有機発光ダイオード装置は、細長い光学構造のアレイに光学的に結合されている、マルチビュー装置は、第１画像を第１視野角の方に生成する、供給する又は与え、第２画像を第２視野角の方に生成する、供給する又は与える。
【００１１】
有機発光ダイオードと細長い光学構造との間の光学的結合とは、例えば、有機発光ダイオード装置の複数の層の１つにおいて実質的に一部を捕捉されることなく、細長い光学構造のアレイに有機発光ダイオード装置から光が自在に進むことができることを意味する。有機発光ダイオード装置は典型的には、例えば、透明又は半透明であるガラスの層又はシートである基板上に作製される。基板は特定の屈折率を有し、基板に隣接して位置付けられる更なる光媒体は他の特定の屈折率を有する。基板の屈折率と他の光媒体の屈折率との間の屈折率差がかなり大きい場合、光は、知られている全内部屈折（ＴＩＲとしても知られている）により基板内に捕捉される又は閉じ込められることが可能である。有機発光ダイオード装置を用いるときの光の閉じ込めは、有機発光ダイオードが実質的にランバーシアン分布状に光を発するために、重要である。その屈折率差が比較的大きいとき、例えば、基板に隣接する他の光媒体が空気であるとき、ランバーシアン分布により生成される光の重要な部分は、基板と空気との間の界面に臨界角より大きい角度で入射する、従って、基板内に戻るように反射されて、基板内に閉じ込められる。この閉じ込められた光は、第１画像及び第２画像の生成に寄与しない。２つの隣接する光媒体は、それらの２つの光媒体の屈折率間の絶対屈折率差がかなり小さい、例えば、その絶対屈折率差が０．１より小さい場合に、光学的に結合される、そのような構成においては、実質的に全ての光が２つの隣接する光媒体間を自在に進むことが可能である。
【００１２】
有機発光ダイオード装置及び細長い光学構想のアレイが光学的に結合しているとき、有機発光ダイオードの発光層により発せられる光は、有機発光ダイオード装置の基板のみによっては、又は有機発光ダイオード装置と細長い光学構想のアレイとの間の何れかの他の光学媒体によっては、実質的に捕捉されない。従って、有機発光ダイオードにより発せられる実質的に全ての光は、細長い光学構造のアレイの方に自在に進む。有機発光ダイオード装置と細長い光学構造のアレイとの間の空隙は、有機発光ダイオード装置の媒体の屈折率と空気の屈折率との間の屈折率差が大き過ぎるために、有機発光ダイオード装置と細長い光学構造のアレイとの間の光学的結合とみなされないことに留意する必要がある。
【００１３】
有機発光ダイオード装置と細長い光学構造のアレイとの光学結合のために、細長い光学構造のアレイは、異なる視野方向に異なる画像の光のみを屈折せず、また、マルチビュー装置内の光の捕捉を低減する。細長い光学構造のアレイは、細長い光学構造を構成する異なる角度を有する表面を有する。異なる角度を有する表面は、細長い光学構造のアレイと環境との境界の界面における内部反射量を減少させる。これは、有機発光ダイオード装置の光がマルチビュー装置の環境に、より多く進むことを可能にし、マルチビュー装置に、より少ない光が捕捉される効果をもたらす。従って、効率が改善される。
【００１４】
マルチビュー装置のエネルギー効率は、かなり高効率の光源である有機発光ダイオード光源を用いることにより、及び有機発光ダイオード装置と細長い光学構造のアレイとの光学的結合により、従来のマルチビュー装置に比べて高くなる。
【００１５】
細長い光学構造のアレイは２つの機能を有することに留意する必要がある。第１の機能は、第１視野方向に第１画像の光を屈折し、第２視野方向に第２画像の光を屈折することである。第２の機能は、マルチビュー装置内の光の閉じ込めを低減し、故に、有機発光ダイオード装置からマルチビュー装置の環境へのより良好な光の透過をもたらすことである。
【００１６】
マルチビュー装置の更なる有利点は、比較的薄い光源である有機発光ダイオード装置を用いるために、そのマルチビュー装置は比較的薄いことである。そのコンパクトなデザインのために、マルチビュー装置は、本のカバーに、若しくはグリーティングカード又は名刺の不可欠な部分として備えられることが可能である。更に、マルチビュー装置へのエネルギー供給は、マルチビュー装置が効率的であり、小さいバッテリのみを必要とするために、問題ではない。
【００１７】
本発明の第１の特徴に従ったマルチビュー装置は複数のアプリケーションで使用されることが可能である。装置は、プッシュボタンの上部にマルチビュー装置を有する三次元プッシュボタンを備えることが可能である。他のアプリケーションにおいては、高い付加価値の企業ロゴが、展示用の靴において提示される、又は、例えば、店の棚又は棚ヘッダにアニメーション化された企業ロゴを提示することが可能である。
【００１８】
実施形態においては、有機発光ダイオード装置はパターニングされた有機発光ダイオードを有する。合成画像の少なくとも一部がパターニングされた有機発光ダイオードにおいてパターニングされる。パターニング技術を用いて、合成画像の少なくとも一部が有機発光ダイオードにおいてパターニングされることが可能である。この実施形態においては、有機発光ダイオードにより合成画像の少なくとも一部の画像化は、有機発光ダイオード装置において合成画像の少なくとも一部を生成する又は作成することにより実行される。パターニングされる有機発光ダイオードのパターニングは、パターニングされる有機発光ダイオードの１つ又はそれ以上の層の特徴を局所的に変えることにより行われる。これは、例えば、基板又は有機発光ダイオードの光反射層においてスクラッチを付けることによりなされ得る。パターニングの他の実施形態は、例えば、有機発光ダイオード材料を有する層を局所的に破壊することによる、又は、有機発光ダイオード層の材料の局所的変化による。
【００１９】
例えば、黒色画素がパターニングされた位置で光が発せられないように、パターニングが実行される、又は、黒色画素の位置で生成される光が、黒色画素がパターニングされていない位置の方向に散乱されるように、パターニングが実行されるために、そのパターニングは、有機発光ダイオード光源の効率の損失をもたらさない。従って、光は生成されずに、発せられない、又は光は生成されるが、他の位置において環境に発せられない。故に、光は吸収されない又は損失されない。
【００２０】
更なる実施形態においては、合成画像の少なくとも一部は、パターニングされた有機発光ダイオード装置の電流サポート層にパターニングされる。代替として、合成画像の少なくとも一部は、有機発光ダイオード装置の光反射層にパターニングされる。この実施形態においては、有機発光ダイオードによる合成画像の少なくとも一部の画像化は、有機発光ダイオード装置の光反射層又は有機発光ダイオード装置の電流サポート層において画像を生成する又は作成することにより実行される。
【００２１】
本出願人の第１の非公開の特許出願においては、パターニングされた発光ダイオード装置、パターニングを生成する方法、パターニングするためのシステム及びそのシステムを較正する方法について開示されている。第１の非公開の特許出願のパターニングされた発光ダイオード装置は、発光材料層を有し、パターニングされた発光ダイオード装置の発光窓を介して可視的である光反射層を有する。光反射層は、合成画像の少なくとも一部を有する光反射層の局所的な変形を構成するパターンを有する。
【００２２】
合成画像が光反射層においてパターニングされる、パターニングされる有機発光ダイオードは、有機発光ダイオード装置がオン状態及びオフ状態にあるときに、合成画像を示す。オン状態において、有機発光ダイオード装置は光を発し、換言すれば、有機発光ダイオードは動作状態にある。オフ状態においては、有機発光ダイオードは光を発せず、動作状態にない。特定のアプリケーションについては、全ての動作条件下で可視的である合成画像の一部を有することは有利であり得る。例えば、昼光条件下では有機発光ダイオード装置はオフに切り換えられる一方、同時に、合成画像の一部は可視的である。これはエネルギーを節約する。夜間においては、有機発光ダイオード装置は、合成画像の一部が暗い中で可視的でもあるように、オンに切り換えられることが可能である。更に、光反射層が、光反射層のパターニングされていない部分に比べて局所的に異なって光を散乱するように、パターニングされる。異なって散乱される光は更に、パターンの位置においてのみではなく、ユーザの方に発せられる。光は、全内部屈折（ＴＩＲ）を受けることが可能である角度で散乱されることが可能である。有機発光ダイオード装置が細長い光学構造のアレイに光学的に結合される場合、散乱光は、有機発光ダイオード装置の基板内に捕捉されない。従って、光はあまり損失されず、そのことは、有機発光ダイオード装置が動作中である場合に特に有利である。有機発光ダイオード装置がオン状態にある場合、散乱光はマルチビュー装置の輝度を高め、故に、マルチビュー装置は動作中、高エネルギー効率を有する。
【００２３】
第１の非公開の特許出願においては、パターニング方法及びシステムについても開示されている。そのパターニングは、例えば、レーザの集光光ビームにより実行され、そのパターニングは、有機発光ダイオード装置の製造後に、実行されることが可能である。そのパターニングは、マルチビュー装置の製造後又は製造中に実行されることさえ可能である。これは、合成画像においてどの特定の第１の画像が用いられるか及びどの特定の第２の画像が用いられるかに関して高い自由度を可能にする。換言すれば、マルチビュー装置は、要求に応じて比較的容易にカスタマイズされることが可能であり、高価でないマルチビュー装置を得るように、複数のマルチビュー装置を製造する必要はない。高解像度は、集光光ビームを用いてパターニングすることにより得られ得る。最小サイズの画素は数μｍである。これは、より高い分解能のために、より良好なユーザ体験をもたらす。
【００２４】
本出願人の第２の非公開の特許出願においては、パターニングされた有機発光ダイオード装置、パターニングを生成する方法、パターニングのためのシステム及びそのシステムを較正する方法について開示されている。第２の非公開の特許出願に従ったパターニングされた有機発光ダイオード装置は、アノード層とカソード層との間に備えられた有機発光材料を有し、有機発光ダイオード装置は更に、動作中に、発光材料が光を発するようにする発光材料を介して、電流が流れることを可能にする、支援する及び／又はもたらすための少なくとも１つの電流サポート層であって、電流サポート層はアノード層、カソード層又は有機発光材料でない、電流サポート層を有する。少なくとも１つの電流サポート層の少なくとも一部は、少なくとも１つの電流サポート層の電流サポート特性を局所的に変化させることによりパターニングされる一方、有機発光材料、アノード層及びカソード層を実質的に変化させない。電流サポート特性は、動作中に有機発光材料を通って流れる電流を局所的に決定する。
【００２５】
合成画像の一部が電流サポート層の１つにおいてパターニングされる、パターニングされる発光ダイオード装置は、黒色画素の位置で光が生成されないように、又は特定の階調を有する画素において少ない光が生成されるように、電子の流れが局所的に影響されるために、高エネルギー効率を有する。典型的には、そのパターンは、有機発光ダイオードのオン状態においてのみ可視的であり、オフ状態においては可視的でない。従って、オン状態とオフ状態との間で切り換えることにより、画像の一部を選択的に示す又は画像の一部を示さないマルチビュー装置が形成されることが可能である。第２の非公開の特許出願のパターニングされる有機発光ダイオードのパターニングは、集光光ビームにより、例えば、レーザ照射により生成されることが可能であり、それは、有機発光ダイオード装置の製造後に行われることが可能である。従って、それは、有機発光ダイオードがパターニングされる時間に関して、及びパターニングされる合成画像の一部の内容に関して、高フレキシビリティを有することが可能である。
【００２６】
合成画像の少なくとも一部が、パターニングされた有機発光ダイオード装置の電流サポート層又は光反射層にパターニングされるこの特定の実施形態においては、有機発光ダイオード装置及び細長い光学構造のアレイが三次元画像又はアニメーション画像を生成するために光学的に結合されることは重要な特徴ではない。例えば、空隙が、有機発光ダイオード装置と細長い光学構造との間に備えられることが可能である。上記で定義された光学的結合を伴わない場合、上記の実施形態は既に、三次元画像又はアニメーション化画像を提供するための代替の実施形態となっている。
【００２７】
他の実施形態においては、有機発光ダイオード装置は、単独の一画素の有機発光ダイオードにより構成される。有機発光ダイオードは、動作中に光を発する複数の層の連続的な積層構造により構成される単独の光源として製造されることが可能である。そのような有機発光ダイオードは、発光面の領域に比べて、比較的薄く、１つのカソード及び１つのアノードのみを有し、故に、２つの電源線のみを必要とする。一画素を用いて、マルチビュー装置の有機発光ダイオードは、２つ以上の一画素光源が用いられる装置に比べて、あまり複雑でないハードウェア構成がもたらされる。例えば、第２の画素への追加の電源線の必要はない。更に、複数の画素光源は一般に、画素間の小さい非発光境界を有する一方、一画素有機発光ダイオードは、均一な発光を有する大きい領域を有する。
【００２８】
更なる実施形態においては、マルチビュー装置の有機発光ダイオード装置は基板を有する。基板は、アノード層、カソード層及び／又は有機発光ダイオードの有機発光層を支持するためのものである。有機発光ダイオードの光は典型的には、基板を通って発せられる。有機発光ダイオードから離れて対向する基板の一方側は、第１画像から第１視野角の方に光を屈折し、第２画像から第２視野角の方に光を屈折する細長い光学構造のアレイを有する。細長い光学構造のアレイは例えば、基板がガラスから成る場合に、基板においてエッチングされることが可能である。基板上に有機発光ダイオードを製造するためばかりでなく、細長い光学構造のアレイの製造のために基板を用いることは、有機発光ダイオードと細長い光学構造のアレイとの間の最適な光学的結合をもたらすために、有利である。更に、更なるこの実施形態のマルチビュー装置は、あまり構成要素を必要とせず、製造プロセス及び製造コストに関して有利である。合成画像の少なくとも一部が有機発光ダイオードにおいてパターニングされて、基板が細長い光学構造のアレイを有する場合に、単独要素のマルチビュー装置を製造することが可能である。
【００２９】
実施形態のおいては、マルチビュー装置は光学シートを有する。光学シートは細長い光学構造のアレイを有し、光学シートは、有機発光ダイオード装置に光学的に結合される。光学シートは安価であり、製造が容易である。例えば、光学構造の形状に関連する凸部を有する熱ロールが、光学構造のアレイを得るように、そのシート上をローリングされることが可能である。更に、例えば、光学シートと有機発光ダイオード装置との間に良好な光学的結合を保障する透明な接着剤により、光学シートに有機発光ダイオード装置を接着させることは容易である。マルチビュー装置の一部として光学シートを製造する他の技術は、スピンコーティング技術により有機発光ダイオード装置の基板の上部に層を形成し、この層において細長い光学構造を形成するインプリント技術を用いることによる。
【００３０】
更なる実施形態においては、マルチビュー装置は少なくとも特定の半透明なフィルムを有する。合成画像の少なくとも一部は、部分的に半透明なフィルム状に与えられる。部分的に半透明なフィルムは、有機発光ダイオード装置と細長い光学構造のアレイとの間に備えられる。この実施形態においては、有機発光ダイオード装置による合成画像の少なくとも一部を画像化することは、有機発光ダイオード装置と細長い光学構造のアレイとの間に備えられる合成画像の少なくとも一部を照明することにより実行される。特定の半透明なフィルム上に合成画像の一部を与えることは、例えば、従来の印刷技術によって、比較的容易である。更に、本実施形態は、印刷技術により合成画像の一部を与えることは個別にデザインされた合成画像の印刷を可能にするために、フレキシブルなカスタマイゼーションが可能である。更に、特定の半透明なフィルム上の合成画像の一部は、三次元カラー画像化アプリケーションを可能にするカラー画像であることが可能である。
【００３１】
半透明なフィルムは、有機発光ダイオード装置と細長い光学構造のアレイとの間に備えられる。合成画像の一部が半透明なフィルム上に与えられる位置において、発せられた光の特徴が影響され、例えば、強度が減少される、又は光の一部が吸収されて、色を変化させる。更に、合成画像の他の部分又は同じ部分が、有機発光ダイオード装置においてパターニングされることが可能である。これは、例えば、完全な黒色画素を形成するために有利である。有機発光ダイオード装置は、黒色画素の位置で光を発しないように、パターニングされることが可能である。従って、有機発光ダイオード装置においてパターニングされた画像の一部が、異なる視野角においてユーザが見ることができる画像のコントラストを向上させ、更なる高エネルギー効率をもたらすように用いられることが可能である。合成画像の一部の暗い領域で半透明なフィルムにおいて光を吸収することに代えて、画像の暗い領域では少ない光が生成され、故に、暗い領域では少ない光が吸収される。
【００３２】
「少なくとも部分的に半透明な」は、少なくとも光がシートを通るようにすると定義されることに留意する必要がある。その実施形態においては、少なくとも部分的に半透明なシートは、有機発光ダイオード装置により生成された光の少なくとも一部が細長い光学構造のアレイの方に進むようにする。従って、部分的に半透明なシートは、部分的に透明なシート及び／又は拡散シートを有することが可能である。
【００３３】
更なる実施形態においては、細長い光学構造のアレイはレンチキュラーレンズを有し、及び／又は、細長い光学構造のアレイは細長い三角形状プリズムを有する。レンチキュラーレンズ及び矩形状プリズムは、異なる視野角に合成画像の異なる画像の光を屈折するためにうまく適合可能である。
【００３４】
細長い光学構造のアレイは、レンチキュラーレンズ及び／又は三角形状プリズムの実施形態に限定されるものではないことに留意する必要がある。第１視野角に第１画像の光を屈折し、第２視野角に第２画像の光を屈折することが可能である光学構造も、本発明で用いられることが可能である、
更なる実施形態においては、合成画像がマルチビュー装置の細長い光学構造のアレイと共に、マルチビュー装置の方を見ているユーザに対して自動立体画像を生成するように構成される。ユーザは三次元画像を体験する。
【００３５】
他の実施形態においては、合成画像がマルチビュー装置の細長い光学構造のアレイと共に、マルチビュー装置の方を見ているビューアに対して及びマルチビュー装置に対して動くビューアに対して、一連の画像を生成するように構成される。一連の画像が合成画像に統合される場合に、及びそれらの画像が異なる視野角において生成される場合に、ユーザは、異なる視野角において一連の画像を見ることができるように、マルチビュー装置に対して移動する必要がある。一連の画像が一連の相互に関連した連続的な画像を構成する場合、ユーザはアニメーションを体験する。そのアニメーションは、短い映画のシーン、モルフ（ｍｏｒｐｈ）又はズームであることが可能である。
【００３６】
更なる実施形態においては、マルチビュー装置を有するアセンブリを提供する。そのアセンブリは、三次元画像を提供するためのプッシュボタン又はプッシュボタン上の一連の画像、三次元画像又は一連の画像により指示が与えられるインジケータ、三次元画像又は一連の画像を広告サインの一部として提供するための広告サイン、三次元の企業ロゴ提示を生成するための又は記号ロゴを有する一連の画像を生成するための企業ロゴ提示ボード、若しくは、光源において光を生成して三次元画像を又は光源において一連の画像を提示するための光源のうちの１つである。その実施形態に従ったアセンブリは、ビューアの注意を良好に引くものである。
【００３７】
本発明の上記の特徴及び他の特徴については、以下に詳述する実施形態を参照することにより明確になる。
【図面の簡単な説明】
【００３８】
【図１】マルチビュー装置の実施形態の模式図である。
【図２】図１のマルチビュー装置のＡ−Ａ′線に沿った断面の模式図である。
【図３】マルチビュー装置の他の実施形態の断面の模式図である。
【図４ａ】マルチビュー装置の実施形態の他の断面の模式図である。
【図４ｂ】マルチビュー装置の他の実施形態の他の断面の模式図である。
【図５ａ】複数のマルチビュー装置を有するＤＶＤプレーヤの模式図である。
【図５ｂ】マルチビュー装置を有する照明装置の模式図である。
【図６】対向電極と封入手段との間に像担持体及び接触手段を有するＥＬ装置の実施形態を示す図である。
【図７】基板電極の表面に備えられた像担持体を有するＥＬ装置の平面図である。
【発明を実施するための形態】
【００３９】
第１実施形態を図１に示している。マルチビュー装置１００を示している。マルチビュー装置１００は、細長い光学構造のアレイ１０１と、合成画像の少なくとも一部を有する部分的に半透明なシート１０２と、有機発光ダイオード装置１０３とを有する。有機発光ダイオード１０３は、部分的に半透明なシート１０２に光学的に結合されている。部分的に半透明なシート１０２は、細長い光学構造のアレイ１０１に光学的に結合されている。光学構造のアレイ１０１、半透明なシート１０２及び有機発光ダイオード装置１０３の層の屈折率間の違いは小さく、例えば、０．１より小さい。光学的に結合する層は、屈折率整合接着剤又は屈折率整合オイルにより互いに接している。それにより、細長い光学構造のアレイ１０１に光学的に結合された有機発光ダイオード装置１０３を得、有機発光ダイオード１０３からの光は、細長い光学構造のアレイ１０１の方に自在に進むことが可能である。図に示しているように、本実施形態においては、細長い光学構造のアレイ１０１はレンチキュラーレンズのアレイ１０１である。合成画像は、複数の副画像の複数の細長いストライプを有する。副画像は第１画像及び第２画像を有する。
【００４０】
有機発光ダイオード１０３の光は、部分的に透明なシート１０２を照明する。合成画像の少なくとも一部は、部分的に半透明なシート１０２上に備えられているため、部分的に半透明なシート１０２は、有機発光ダイオード装置１０３から受ける光の特性を局所的に変化させることが可能である。部分的に半透明なシート１０２の一部の位置においては、光はブロックされる又は一部が吸収されることが可能であり、他の位置においては、光は、レンチキュラーレンズのアレイ１０１の方向に自在に進むことが可能である。レンチキュラーレンズのアレイ１０１は、第１画像からの光が第１視野角の方に屈折され、第２画像からの光が第２視野角の方に屈折されるように、受け入れた光を屈折する。
【００４１】
有機発光ダイオード装置１０３は単独の一画素有機発光ダイオードにより構成されることが可能であることに留意する必要があり、そのことは、有機発光ダイオード装置１０３は、有機発光ダイオードを構成する連続する層の積層構造として製造された１つの有機発光ダイオードのみを有することを意味する。
【００４２】
図２は、ＡＡ′線の位置の、図１のマルチビュー装置１００の断面図である。部分的に半透明なシート１０２は合成画像の少なくとも一部を有する。合成画像は、複数の副画像の複数の細長いストライプを有する。部分的に半透明なシート１０２の層において示されている黒色矩形２１０は、第１画像の副画像の細長いストライプの断面である。ハッチングされた矩形２２０は、第２画像の副画像の細長いストライプの断面である。第１画像２１０の細長いストライプは第２画像２２０の細長いストライプと交互に存在している。第１画像２１０の細長いストライプの１つからの及び第２画像の細長いストライプの隣接する１つからの実質的な光量が、第１視野角２１１（θ１）の方にレンチキュラーレンズ１０１のアレイにより屈折されるように、第１画像２１０の１つの細長いストライプ及び第２画像２２０の１つの細長いストライプは、レンチキュラーレンズのアレイ１０１の単独のレンチキュラーレンズと共に配列される。第１画像２１０のストライプの光２１２は、第１視野角２１１（θ１）の方にレンチキュラーレンズのアレイ１０１により屈折される。第２画像２２０のストライプの光２２２は、第２視野角２２１（θ２）の方にレンチキュラーレンズのアレイ１０１により屈折される。
【００４３】
第１視野角２１１及び第２視野角２２１は、マルチビュー装置１００の方を見ているユーザの眼２３０の両方が異なる画像の光を受け、そのユーザが三次眼画像を体験するように、構成される。他の実施形態においては、ユーザ２３０の両眼は、第１視野角２１１により第１画像が方向付けられる第１位置を見ることが可能であり、ユーザ２３０の両眼は、第２視野角２２１により第２画像が方向付けられる第２位置を見ることが可能である。移動中２３１に、ユーザ２３０が受け入れた画像をアニメーションとして体験することが可能である。特定の実施形態においては、ユーザ２３０がマルチビュー装置１００に対して移動する２３１場合に、ユーザが複数の画像のアニメーションを見ることができるように、複数の画像の光が複数の視野角において屈折されるように、半透明なシート１０２における複数の画像の交互の細長いストライプは、マルチビュー装置１００において統合される。
【００４４】
図３は、マルチビュー装置３００の他の実施形態の断面図である。マルチビュー装置３００は、この特定の実施形態においては三角形状プリズム３０１のアレイである細長い光学構造のアレイ３０１を有する。マルチビュー装置３００は、図３の特定の実施形態においてはパターニングされた有機発光ダイオード装置３０３である有機発光ダイオード装置３０３を更に有する。有機発光ダイオード装置３０３は、三角形状プリズムのアレイ３０１に光学的に結合している。
【００４５】
合成画像の少なくとも一部は、パターニングされた有機発光ダイオード装置３０３の層３０２においてパターン化される。合成画像の一部は、第１画像２１０の細長いストライプ及び第２画像２２０の細長いストライプである交互の副画像を有する。三角形状プリズムのアレイ３０１は、第１画像２１０のストライプからの光２１２が第１視野角の方に屈折され、第２画像２２０のストライプからの光２２２が第２視野角の方に屈折されるように構成される。
【００４６】
図４ａは、パターニングされた有機発光ダイオード装置４０３を有するマルチビュー装置４００の実施形態の断面図である。パターニングされた有機発光ダイオード装置４０３は、有機発光ダイオードが製造される基板４０４を有する。基板４０４はレンチキュラーレンズのアレイ４０１を有する。基板４０４は、ガラス又は、例えば、合成材料から製造された部分的に透明なシートであることが可能である。基板４０４がガラスである場合、レンチキュラーレンズのアレイ４０１は、エッチングにより基板４０４において形成されることが可能である。基板４０４が、例えば、合成材料から形成された部分的に透明なシートである場合、レンチキュラーレンズのアレイ４０１は例えば、インプリント技術により形成されることが可能である。有機発光ダイオードは基板上に形成され、故に、有機発光ダイオードとレンチキュラーレンズのアレイ４０１との間に最適な光学的結合が存在する。
【００４７】
有機発光ダイオード４０３は一般に、発光材料を有する複数の層４０６、４０７、４０８を有し、発光材料を有する層４０６を有し、アノード層４０８及びカソード層４０７を有し、それらのアノード層とカソード層との間に、層４０６が挟まれている。図４ａは、アノード層４０８とカソード層４０７との間の１つの層を模式的に示しているが、この発光層４０６は、有機発光材料を有する層と、動作中に、発光材料が発光するように発光材料をを介して電流が流れることを可能にする及び／又は支援する及び／又はもたらすように用いられる複数の電流サポート層（図示せず）と、を有する。アノード層４０８は例えば、発光材料４０６中に生成される光が、有機発光ダイオード装置４００の環境に発光するようにする光の特定範囲について透明である金属酸化物であるＩＴＯ（Ｉｎｄｉｕｍ  Ｔｉｎ  Ｏｘｉｄｅ）を有する。カソード層４０７は例えば、２ｎｍのバリウム層と、良好な導電性を有し、半導体製造プロセスにおいて良好に適用されることが可能である１００ｎｍのアルミニウム層と、を有することが可能である。カソード層４０７は光反射性層４０７を有する。
【００４８】
有機発光ダイオード装置４０３は、有機発光ダイオード装置のオン状態及びオフ状態の両方において永久に可視的であるパターン４０５を有する。パターン４０５は、カソード装置４０７のアルミニウムの変形により構成される。有機発光ダイオード装置４００のオン状態中、電流は、実質的に全ての方向に発光する有機発光材料を有する層４０６を流れる。層４０６の有機発光材料において生成され、少なくとも部分的に透明なアノード層４０８の方に進む光は、少なくとも一部がアノード層４０８及び基板４０４を透過し、続いてマルチビュー装置４００の周囲に発せられる。カソード層４０７の方に進む光の一部は、マルチビュー装置４００の周囲に光が透過するようにする基板４０４の方に、カソード層４０７のアルミニウムにより反射される。カソード層４０７のパターン４０５の変形の位置において、観測者に明瞭に見える光が散乱される。観測者は、その散乱された光を局所的な輝度の差異として体験し、故に、そのパターンはユーザが見ることができる画像を形成する。
【００４９】
有機発光ダイオード装置のパターニングは、図４ａに示すように実行されることが可能である。有機発光ダイオード装置４０３は、基板に対して反対側である、有機発光ダイオード装置の一方側を有し、パターニングされた窓４０９は、集光光ビーム４１０がアノード層４０８の後側の方に自在に進むようにする。集光光ビーム４１０は、カソード層４０７が局所的に変形するために十分なパワーを与える。集光光ビーム４１０により与えられるパワー量は変形の高さを決定する。その変形の高さは散乱を決定し、故に、ユーザが体験する視覚的効果を決定する。
【００５０】
図４ｂは、パターニングされた有機発光ダイオード装置４５３を有するマルチビュー装置４５０の他の実施形態の断面図である。図４ｂに示すマルチビュー装置は、細長い光学構造のアレイ４５１を有する光学シート４５４を更に有する。その特定の実施形態においては、細長い光学構造のアレイは三角形状プリズムのアレイ４５１である。光学シートは例えば、パターニングされた有機発光ダイオード装置４５３と三角形状プリズムのアレイ４５１との間の光学的結合を得るように屈折率整合接着剤によりパターニングされた有機発光ダイオード装置に接着剤付けされる。
【００５１】
パターニングされた有機発光ダイオード装置４５３は複数の層４５６，．．．，４６９を有する。層４５６，４６０，．．．，４６９の積層構造はアノード層４５８とカソード層４５７との間に挟まれている。有機発光ダイオード装置４５３は、例えば、１５ｎｍの厚さを有する銀の層を介して少なくとも一部が透過するカソードを通って周囲に光を発するトップエミッション型装置である。層４５６，４６０，．．．，４６９の積層構造は、有機ホスト材料中に埋め込まれた有機発光材料４５６の層を有する。この有機発光材料４５６は、電流が有機発光材料４５６の層を流れるときに、光を発するように構成される。パターニングされた有機発光ダイオード装置４５３は、各々が例えば、異なる色を発する発光材料の複数の層を有することが可能である、代替として、発光層４５６は、異なる色を発し、例えば、所定の色温度の白色光を一緒に発する複数の発光材料の混合を有することが可能である。パターニングされた有機発光ダイオード装置４５３は、動作中、発光材料４５６が光を発するようにする発光材料４５６を通って、電流が流れることを可能にする及び／又は支援する及び／又はもたらすように用いられる１つの又は複数の電流サポート層４６０，．．．，４６９を更に有する。図４ｂのマルチビュー装置４５０のパターニングされた有機発光ダイオード装置４５３においては、アノード４５８、カソード４５７又は発光材料４５６の層を実質的に変化させずに、パターンが、電流サポート層４６０，．．．，４６９の少なくとも１つの層において生成される。発光材料４５６を通って電流が流れることに影響する層は、アノード層４５８、カソード層４５７及び発光材料４５６を除いて、用語、電流サポート層４６０，．．．，４６９により表される。電流サポート層４６０，．．．，４６９の例としては、電流ブロック層４６９、電流ブロック層のインタフェース層（図示せず）、ホールブロック層４６４及び電子ブロック層（図示せず）、電子注入層４６１、電子注入層のインタフェース層（図示せず）、ホール注入層４６７、ホール注入層のインタフェース４６６、カソード層のインタフェース層４６０及びアノード層のインタフェース層４６８がある。上記の列挙した電流サポート層４６０，．．．，４６９の特徴の局所的変化４５５は、動作中に有機発光材料４５６を流れる電流を局所的に変化させ、故に、発光特性を局所的に変化させる。パターニングされた有機発光ダイオード装置４５３がオンに切り換えられるとき、そのような変化された発光特性４５５は、明瞭に可視的であり、パターニングされた有機発光ダイオード装置４５３がオンに切り換えられるときに明瞭に可視的である要求されたパターンにおいて適用されることが可能である。有機発光材料４５６、アノード層４５８又はカソード層４５７は影響されないために、そのパターンは、パターニングされた有機発光ダイオード装置４５３が例えば、紫外線を照射されたときでさえ、実質的に不可視的である。
【００５２】
電流サポート層４６０，．．．，４６９の１つの局所的変化４５５は、図４ｂに示すように、有機発光ダイオード４５３に集光光ビーム４５９を入射させることにより生成することが可能である。集光光ビームは、電流サポート層４６０，．．．，４６９の１つにフォーカシングされ、電流サポート層４６０，．．．，４６９の１つの電流サポート特性を局所的に変化させるエネルギー量を局所的に与える。三角形状プリズムのアレイ４５１による集光光ビーム４５９の屈折を回避するように、三角形状プリズムのアレイ４５１を有する光学シート４５４及び有機発光ダイオード４５３がアセンブルされる前に、パターニングが実行されることが可能である。しかしながら、集光光ビーム４５９の入射は、三角形状プリズムのアレイ４５１による予定された屈折のために事前に補正されることが可能である。
【００５３】
図５ａは、本発明に従って、複数のマルチビュー装置５０１、５０２、５０３を有するＤＶＤプレーヤ５００を模式的に示している。
【００５４】
企業ロゴ５０１が、ＤＶＤプレーヤ５００のユーザに対して第１マルチビュー装置５０１により提示される。企業ロゴ５０１は、三次元画像又はアニメーションとして可視的であることが可能である。企業ロゴはパターニングされた有機発光ダイオード装置のオン情対及びオフ状態で可視的であるため、第１マルチビュー装置５０１においてパターニングされた光反射層を有するパターニングされた有機発光ダイオード装置を用いることは有利である。
【００５５】
第２マルチビュー装置５０２は、エラーがＤＶＤプレーヤ５００の動作中に生じたことの指示をユーザに提供するエラーインジケータ５０２である。有機発光ダイオード装置を交互にオン及びオフに切り換えることにより、点滅エラー表示をもたらすことが可能である。パターニングされた電流サポート層を有するパターニングされた有機発光ダイオード装置を用いることは、エラー指示画像がパターニングされた有機発光ダイオード装置のオフ状態で可視的でなく、オン状態にのみ可視的であるため、エラーインジケータ５０２において有利であり得る。従って、パターニングされた電流サポート層を有するパターニングされた有機発光ダイオード装置を用いることは、エラー指示の選択的可視化を可能にする。
【００５６】
第３マルチビュー装置５０３は、‘再生’プッシュボタン５０３がＤＶＤの再生を開始するように押されることを三次元画像で表示するための‘再生’プッシュボタン５０３である。
【００５７】
図５ｂは、マルチビュー装置５１１を有する照明装置５１０を模式的に示している。照明装置５１０は、マルチビュー装置５１１により提供される三次元画像により強化されることが可能である。マルチビュー装置５１１により画像化される画像は、球状発光面を有する照明装置５１０を意味することが可能である。
【００５８】
図５ｃは、マルチビュー装置５２１を有する広告サイン５２０を模式的に示している。マルチビュー装置５２１は、例えば、自動車で通過するビューアに三次元広告を又はアニメーション化された広告を提示する。広告サイン５２０は、二次元画像のみを提示する広告サインに比べて、かなり早くユーザの関心を引き付けることができる。
【００５９】
上記の実施形態は例示であって、本発明を限定するものではなく、当業者は、特許請求の範囲における範囲から逸脱することなく、多くの代替の実施形態を案出することができることに留意する必要がある。
【００６０】
用語“を有する”及びその派生語は、特許請求の範囲における要素又はステップ以外の要素又はステップの存在を排除するものではない。要素の単数表現は、その要素の複数の存在を排除するものではない。本発明は、複数の別個の要素を有するハードウェアにより、及び適切にプログラムされたコンピュータにより実施することが可能である。複数の手段を列挙している装置請求項においては、それらの手段の幾つかはハードウェアの同一のアイテムにより具現化されることが可能である。特定の複数の手段が互いに異なる従属請求項に記載されているということは、それらの手段の組み合わせが有利に用いられないことを意味するものではない。
【図１】
2012530272.tif 000003
【図２】
2012530272.tif 000004
【図３】
2012530272.tif 000005
【図４ａ】
2012530272.tif 000006
【図４ｂ】
2012530272.tif 000007
【図５ａ】
2012530272.tif 000008
【図５ｂ】
2012530272.tif 000009
【図５ｃ】
2012530272.tif 000010
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
第１視野角において第１画像を生成し、前記第１視野角と異なる第２視野角において第２画像を生成するマルチビュー装置であって：
前記第１画像及び前記第２画像を有する副画像の細長いストライプを有する合成画像；
前記第１視野角の方に前記第１画像の光を屈折させ、前記第２視野角の方に前記第２画像の光を屈折させる細長い光学構造のアレイ；並びに
前記細長い光学構造のアレイを介して前記合成画像を画像化する有機発光ダイオード装置であって、前記有機発光ダイオード装置は前記細長い光学構造のアレイに光学的に結合されている、有機発光ダイオード装置；
を有するマルチビュー装置であって、
前記有機発光ダイオード装置は単独の一画素有機発光ダイオードを有する；
マルチビュー装置。
【請求項２】
前記有機発光ダイオード装置は、パターニングされた有機発光ダイオード装置を構成するパターンを有し、前記パターニングされた有機発光ダイオード装置を構成する前記パターンは前記合成画像の少なくとも一部を有する、請求項１に記載のマルチビュー装置。
【請求項３】
前記パターニングされた有機発光ダイオード装置の電流サポート層又は前記パターニングされた有機発光ダイオード装置の光反射層は前記合成画像の少なくも一部を有する、請求項２に記載のマルチビュー装置。
【請求項４】
前記有機発光ダイオード装置は、アノード層、カソード層及び／又は前記有機発光ダイオードの有機発光層を支持する基板を有し、前記有機発光ダイオードから離れて対向する前記基板の一方側は、第１視野角の方に前記第１画像の光を屈折し、第２視野角の方に前記第２画像の光を屈折する細長い光学構造のアレイを有する、請求項１に記載のマルチビュー装置。
【請求項５】
光学シートを更に有し、前記光学シートは、前記細長い光学構造のアレイを有し、前記光学シートは、前記有機発光ダイオード装置に光学的に結合されている、請求項１に記載のマルチビュー装置。
【請求項６】
少なくとも特定の半透明フィルムを更に有し、前記合成画像の少なくとも一部は少なくとも部分的に半透明フィルム上に備えられ、前記特定の半透明フィルムは、前記有機発光ダイオード装置と前記細長い光学構造のアレイとの間に備えられている、請求項１又は２に記載のマルチビュー装置。
【請求項７】
前記細長い光学構造のアレイはレンチキュラーレンズを有し、及び／又は、前記細長い光学構造のアレイは細長い三角形状プリズムを有する、請求項１に記載のマルチビュー装置。
【請求項８】
前記合成画像は前記細長い光学構造のアレイと共に、前記マルチビュー装置の方を見ているビューアに対して自動立体視画像を生成する、請求項１に記載のマルチビュー装置。
【請求項９】
前記合成画像は前記細長い光学構造のアレイと共に、前記マルチビュー装置の方を見ていて、前記マルチビュー装置に対して動いているビューアに対して一連の画像を生成する、請求項１に記載のマルチビュー装置。
【請求項１０】
請求項１乃至９の何れか一項に記載のマルチビュー装置を有するアセンブリであって：
プッシュボタンに三次元画像又は一連の画像を生成するためのプッシュボタン；
三次元画像又は一連の画像による指示を生成するインジケータ；
三次元画像又は一連の画像を広告サインとして生成するための広告サイン；
三次元企業ロゴ提示を生成するための又は合成画像を構成する一連の画像を生成するための企業ロゴ提示ボード；又は
光源において、光を生成して、三次元画像又は一連の画像を提示するための光源；
であるアセンブリ。
【手続補正２】
【補正対象書類名】明細書
【補正対象項目名】００２７
【補正方法】変更
【補正の内容】
【００２７】
有機発光ダイオード装置は、単独の一画素の有機発光ダイオードにより構成される。有機発光ダイオードは、動作中に光を発する複数の層の連続的な積層構造により構成される単独の光源として製造されることが可能である。そのような有機発光ダイオードは、発光面の領域に比べて、比較的薄く、１つのカソード及び１つのアノードのみを有し、故に、２つの電源線のみを必要とする。一画素を用いて、マルチビュー装置の有機発光ダイオードは、２つ以上の一画素光源が用いられる装置に比べて、あまり複雑でないハードウェア構成がもたらされる。例えば、第２の画素への追加の電源線の必要はない。更に、複数の画素光源は一般に、画素間の小さい非発光境界を有する一方、一画素有機発光ダイオードは、均一な発光を有する大きい領域を有する。
【国際調査報告】
2012530272.tif 000011
2012530272.tif 000012
2012530272.tif 000013